(57)【要約】【課題】  医用画像の読影レポート作成時に、所見内容で参照する読影対象の医用画像について、簡単な操作で、しかも相手側に正確にかつわかりやすく伝わるように処理する。【解決手段】  医用レポート表示画面の所見欄に配列された文字列（Ｓ１４）に対してリンク対応範囲を特定する（Ｓ１５）。次に、モニタ表示中のいずれかのコンテンツを指定するドラッグ操作入力する（Ｓ１６）。そして、ドラッグ表示アイコンを医用レポート作成画面のリンク対応範囲表示部分にドロップ操作して文字列が指定されたとき当該コンテンツのアドレス情報を取得し、その文字列に参照先コンテンツのアドレス情報を貼り付ける（Ｓ１７〜Ｓ１９）。同時にリンク対応範囲の文字列の色を変更しかつ下線を付して識別表示する（Ｓ２０）。レポート作成完了後、ファイルを保存して一連の処理を終了し（Ｓ２２）、例えば読影レポート作成依頼者にそのファイルを転送する。【選択図】      図４
2005301453.tif 000002
【特許請求の範囲】
【請求項１】
読影対象の１または複数の医用画像に対する読影レポートの電子ファイルを作成するための医用レポート作成装置において、
前記医用レポートの電子ファイルをオペレータの操作に応じて入力される情報に基づいて作成する情報処理手段と、
前記情報処理手段で作成される医用レポートの作成画面を表示する第１の表示手段と、
前記医用レポート作成時に参照する医用画像、過去の医用レポート、情報ファイルの少なくともいずれかのコンテンツを選択的に表示する第２の表示手段とを具備し、
前記情報処理手段は、
前記医用レポートの所見欄に文字列を入力する文字列入力手段と、
前記所見欄の文字列中にリンク対応範囲を特定する範囲特定手段と、
前記第２の表示手段に表示されるコンテンツの指定入力に応答して当該コンテンツのアドレス情報を取得し、このアドレス情報を前記リンク対応範囲の文字列情報にリンク付けするリンク付け処理手段と、
前記第１の表示手段に対して前記リンク対応範囲にリンク付けが施されていることを識別表示させる表示制御手段とを備えることを特徴とする医用レポート作成装置。
【請求項２】
前記リンク付け処理手段は、ドラッグ操作によって前記第２の表示手段で表示されるコンテンツを指定して、前記第１の表示手段で表示されるリンク対応範囲にドロップ操作することによって前記コンテンツのアドレス情報を前記リンク対応範囲の文字列情報にリンク付けすることを特徴とする請求項１記載の医用レポート作成装置。
【請求項３】
前記リンク付け処理手段は、前記コンテンツのアドレス情報を既にリンク付けされているリンク対応範囲にリンク付けする操作がなされたとき、前のリンク付けを解除し、新たなアドレス情報をリンク付けすることを特徴とする請求項１記載の医用レポート作成装置。
【請求項４】
前記リンク付け処理手段は、前記コンテンツのアドレス情報を既にリンク付けされているリンク対応範囲にリンク付けする操作がなされたとき、リンク付けを追加することを特徴とする請求項１記載の医用レポート作成装置。
【請求項５】
前記リンク付け処理手段は、前記コンテンツのアドレス情報を既にリンク付けされているリンク対応範囲にリンク付けする操作がなされたとき、前のリンク付けを解除するモードとリンク付けを追加するモードをオペレータに選択させるモード選択手段を備えることを特徴とする請求項１記載の医用レポート作成装置。
【請求項６】
さらに、前記コンテンツの表示を編集すると共に、編集処理を再現するためのパラメータ情報を生成する表示編集手段とを備え、
前記リンク付け処理手段は、前記表示編集手段で編集されたコンテンツが前記リンク付けコンテンツとして指摘されたとき、前記アドレス情報と共に前記パラメータ情報を付加してリンク付けすることを特徴とする請求項１記載の医用レポート作成装置。
【請求項７】
前記リンク付け処理手段は、複数のコンテンツが同時に選択された状態で前記リンク対応範囲の一つにリンク付け指定されたとき、選択されているコンテンツを全てリンク付けすることを特徴とする請求項１記載の医用レポート作成装置。
【請求項８】
前記情報処理手段は、さらに、前記医用レポートにリンク情報欄を形成し、このリンク情報欄に前記リンク付けされたコンテンツの内容を表す画像または過去の医用レポートを作成し貼り付けるリンク情報欄作成手段を備えることを特徴とする請求項１記載の医用レポート作成装置。
【請求項９】
前記リンク情報欄作成手段は、前記リンク付けされたコンテンツが複数ある場合に、前記リンク情報欄の表示順序について前記コンテンツの作成日付順とするモードとリンク指定順とするモードのいずれかをオペレータに選択させる表示順序選択手段を備えることを特徴とする請求項８記載の医用レポート作成装置。
【請求項１０】
前記範囲特定手段は、リンク先の指定前に前記範囲を特定しておくことを特徴とする請求項１記載の医用レポート作成装置。
【請求項１１】
前記範囲特定手段は、前記ドラッグ操作されたコンテンツのアドレス情報がドロップ操作によって医用レポート中の任意の文字列に重ねられたことを検出し、検出文字列を含み予め決められた範囲を自動的にリンク対応範囲とすることを特徴とする請求項２記載の医用レポート作成装置。
【請求項１２】
前記範囲特定手段は、前記リンク対応範囲の自動設定後に手動で範囲を調整する手段を備えることを特徴とする請求項１１記載の医用レポート作成装置。
【請求項１３】
請求項１記載の医用レポート作成装置で作成された医用レポートの電子ファイルを参照する医用レポート参照装置であって、
前記医用レポートを表示する際に前記所見欄の文字列のリンク対応範囲を識別表示するレポート表示手段と、
前記リンク対応範囲の指定入力操作に応じて前記コンテンツのアドレス情報を読み取るアドレス情報取得手段と、
前記アドレス情報に基づいて前記コンテンツを取得し表示するコンテンツ表示手段とを具備することを特徴とする医用レポート参照装置。
【請求項１４】
請求項６記載の医用レポート作成装置で作成された医用レポートを参照する医用レポート参照装置であって、
前記医用レポートを表示する際に前記所見欄の文字列のリンク対応範囲を識別表示するレポート表示手段と、
前記リンク対応範囲の指定入力操作に応じて前記リンク付けされたコンテンツのアドレス情報及び前記パラメータ情報を読み取る情報取得手段と、
前記アドレス情報に基づいて前記コンテンツを取得し、当該コンテンツを前記パラメータ情報に基づいて編集して表示するコンテンツ表示手段とを具備することを特徴とする医用レポート参照装置。
【請求項１５】
読影対象の１または複数の医用画像に対する読影レポートの電子ファイルを作成するための医用レポート作成方法であって、
前記電子ファイルに基づいて医用レポートの作成画面を表示させると共に前記医用レポート作成時に参照する医用画像、過去の医用レポート、情報ファイルの少なくともいずれかのコンテンツを選択的に表示させる表示ステップと、
前記オペレータの操作によって入力される文字列を前記医用レポートの所見欄に挿入する文字列入力ステップと、
前記所見欄の文字列中にリンク対応範囲を特定する範囲特定ステップと、
前記表示中のコンテンツの指定入力に応答して当該コンテンツのアドレス情報を取得し、このアドレス情報を前記リンク対応範囲の文字列情報にリンク付けするリンク付けステップと、
前記リンク対応範囲にリンク付けが施されていることを識別表示させる表示制御ステップとを備えることを特徴とする医用レポート作成方法。
【請求項１６】
読影対象の１または複数の医用画像に対する読影レポートの電子ファイルを作成する処理をコンピュータに実行させるための医用レポート作成プログラムであって、
前記電子ファイルに基づいて医用レポートの作成画面を表示させると共に前記医用レポート作成時に参照する医用画像、過去の医用レポート、情報ファイルの少なくともいずれかのコンテンツを選択的に表示させる表示ステップと、
前記オペレータの操作によって入力される文字列を前記医用レポートの所見欄に挿入する文字列入力ステップと、
前記所見欄の文字列中にリンク対応範囲を特定する範囲特定ステップと、
前記表示中のコンテンツの指定入力に応答して当該コンテンツのアドレス情報を取得し、このアドレス情報を前記リンク対応範囲の文字列情報にリンク付けするリンク付けステップと、
前記リンク対応範囲にリンク付けが施されていることを識別表示させる表示制御ステップとを備えることを特徴とする医用レポート作成プログラム。
【発明の詳細な説明】
【技術分野】
【０００１】
本発明は、医療情報システムにおいて、例えば専門医が読影を依頼された医用画像について読影結果を報告するレポートを作成するための医用レポート作成装置に係り、特にレポート中の所見記載文字にその記載内容に対応する画像、過去の医用レポート、その他のファイルを簡単にリンクさせるための技術に関する。
【背景技術】
【０００２】
従来から、医療行為の専門分野が細分化され、レントゲン、ＭＲＩ等の画像診断装置で撮影した医用画像の読影を専門医に依頼することが広く行われている。このような読影依頼に際し、専門医は読影対象の画像を表示させて、その結果を報告書（レポート）にまとめ、依頼元に渡す処置を行う。
【０００３】
既に、この医用レポートの作成を電子的に行う装置が実用化されている。この装置では、例えば読影依頼元からネットワーク配信等によって渡される医用画像をいったん蓄積し、レポートシートを画面表示して、そのシート上に必要な項目を入力する。そして、読影対象の画像を順次表示させ、その画像の所見をシート内の所見記入欄へ、画像所見を元に、読影依頼元での検査目的を考慮した診断結果を診断記入欄へ書き込む。所見で指摘する画像については、必要に応じて縮小／拡大画像または切り出し画像を作成し、画像添付欄等に貼り付ける。以上の手順によって作成された医用レポートのシートデータは、例えばネットワークを通じて読影依頼元に渡される。
【０００４】
ところで、上記のような従来の医用レポート作成装置では、作成レポートにおいて、所見の記入内容と貼付画像との関係がわかりにくいケースが多々あることが指摘されている。例えば、所見の文章中に互いに似通った複数の画像が指摘されているようなケースでは、指摘画像の誤認が生じるおそれがある。また、レポート画面上に貼付画像を表示する場合に、モニタ解像度や画面のスペースによっては所見情報を正確に伝えられないこともある。また、読影画像のみならず、過去の医用レポート、履歴情報等を参照させたい場合には、各情報ファイルを読み出して編集し、レポート中に貼り付けるといった、煩雑な作業が強いられる。
【０００５】
尚、特許文献１には、電子カルテシステムにおいて、診療情報の共有化を実現するために、特定のファイル群を外部情報として参照するためのリンク情報を活用する技術が提供されている。しかしながら、ここに記載される技術は、単にリンク情報が格納された患者カードの提示によって、どの医療機関でもリンク情報から特定のファイル群を引き出せるようにしたことを提示しているにすぎず、上記のような医用レポート作成に対して単純に活用することはできない。
【特許文献１】特開平１０−０７９７７０号公報
【発明の開示】
【発明が解決しようとする課題】
【０００６】
以上述べたように、従来の医用レポート作成装置では、所見の記載内容と貼付画像との関係がわかりにくい、レポート画面上に表示される貼付画像が見づらく所見内容を正確に伝えにくい、読影画像以外の情報を参照させたい場合に煩雑なレポート作成作業が強いられるといった問題が指摘されている。
【０００７】
本発明は上記の問題を解決し、医用画像の読影レポート作成時に、所見内容で参照する読影対象の医用画像について、簡単な操作で、しかも相手側に正確にかつわかりやすく伝わるように処理することのできる医用レポート作成装置、医用レポート参照装置、医用レポート作成方法及びそのプログラムを提供することを目的とする。
【課題を解決するための手段】
【０００８】
上記の課題を解決するために、本発明に係る医用レポート作成装置は、読影対象の１または複数の医用画像に対する読影レポートの電子ファイルを作成するための装置であり、前記医用レポートの電子ファイルをオペレータの操作に応じて入力される情報に基づいて作成する情報処理手段と、前記情報処理手段で作成される医用レポートの作成画面を表示する第１の表示手段と、前記医用レポート作成時に参照する医用画像、過去の医用レポート、情報ファイルの少なくともいずれかのコンテンツを選択的に表示する第２の表示手段とを具備しており、特に、前記情報処理手段は、前記医用レポートの所見欄に文字列を入力する文字列入力手段と、前記所見欄の文字列中にリンク対応範囲を特定する範囲特定手段と、前記第２の表示手段に表示されるコンテンツの指定入力に応答して当該コンテンツのアドレス情報を取得し、このアドレス情報を前記リンク対応範囲の文字列情報にリンク付けするリンク付け処理手段と、前記第１の表示手段に対して前記リンク対応範囲にリンク付けが施されていることを識別表示させる表示制御手段とを備えることを特徴とする。
【０００９】
また、本発明に係る医用レポート参照装置は、前記医用レポート作成装置で作成された医用レポートを表示する際に、前記所見欄の文字列のリンク対応範囲を識別表示するレポート表示手段と、前記リンク対応範囲の指定入力操作に応じて前記コンテンツのアドレス情報を読み取るアドレス情報取得手段と、前記アドレス情報に基づいて前記コンテンツを取得し表示するコンテンツ表示手段とを具備することを特徴とする。
【００１０】
また、本発明に係る医用レポート作成方法及びそのプログラムは、読影対象の１または複数の医用画像に対する医用レポートの電子ファイルを作成するものであり、前記電子ファイルに基づいて医用レポートの作成画面を表示させると共に前記医用レポート作成時に参照する医療画像、過去の医用レポート、情報ファイルの少なくともいずれかのコンテンツを選択的に表示させる表示ステップと、前記オペレータの操作によって入力される文字列を前記所見レポートの所見欄に挿入する文字列入力ステップと、前記所見欄の文字列中にリンク対応範囲を特定する範囲特定ステップと、前記表示中のコンテンツの指定入力に応答して当該コンテンツのアドレス情報を取得し、このアドレス情報を前記リンク対応範囲の文字列情報にリンク付けするリンク付けステップと、前記リンク対応範囲にリンク付けが施されていることを識別表示させる表示制御ステップとを備えることを特徴とする。
【００１１】
すなわち、本発明の特徴とする点は、例えばドラッグ＆ドロップ操作による簡単な操作で、参照コンテンツを指定した時点でアドレス情報を取得し、この指定コンテンツのアドレス情報を所見文字列の目的とする範囲にリンク付けできるようにし、そのリンク付けされた部分を識別表示して相手側に正確にかつわかりやすく伝わるように処理する点にある。
【発明の効果】
【００１２】
上記構成によれば、医用画像の所見レポート作成時に、所見内容で参照する読影対象の医療画像について、簡単な操作で、しかも相手側に正確にかつわかりやすく伝わるように処理することのできる医用レポート作成装置、医用レポート参照装置、医用レポート作成方法及びそのプログラムを提供することができる。
【発明を実施するための最良の形態】
【００１３】
以下、図面を参照して本発明の実施の形態を詳細に説明する。
【００１４】
図１は本発明に係る医用レポート作成装置、医用レポート再生装置を含む病院情報システム（ＨＩＳ）の構成を示すブロック図である。図１において、１１はネットワークであり、このネットワーク１１には、医用画像、医用レポートを含む医療情報を共有化するための医療情報サーバ１２と、例えば放射線課読影室に設置され、依頼された読影画像に対する医用レポートを作成する医用レポート作成装置１３と、内科、外科等の各診療室に設置され、上記医用レポートを受け取って適宜再生可能な医用レポート参照装置１４とが接続されており、相互に情報通信が可能となっている。
【００１５】
尚、詳細は図示しないが、本実施形態において、上記医療情報サーバ１２には、ＨＩＳサーバ、画像ファイルサーバ、レポートシステムサーバが含まれているものとする。また、医用レポート参照装置１４は、医用レポート専用装置でもよいが、例えば各診療室に設置させている電子カルテシステムの端末を利用することも可能である。
【００１６】
上記医用レポート作成装置１３は、図２に示すように、ネットワーク１１に接続されるワークステーション装置１３１を備える。このワークステーション装置１３１には、入力装置としてキーボード１３２、マウス１３３が接続され、表示装置としてレポートモニタ装置１３４、参照情報モニタ装置１３５を備える。参照情報モニタ装置１３５には、一度に多数の参照情報をモニタできるように、マルチディスプレイが望ましい。
【００１７】
上記ワークステーション装置１３１は、図３に示すように、情報処理プロセッサ１３Ａ、通信ポート１３Ｂ、作業用に情報を格納するためのストレージユニット１３Ｃ、キーボード１３２及びマウス１３３の入力操作に対応した指示情報を受け付ける入力インターフェース部１３Ｄ、レポートモニタ装置１３４及び参照情報モニタ装置１３５にそれぞれモニタ表示情報を出力する出力インターフェース部１３Ｅを備える。尚、上記ストレージユニット１３Ｃにはキャッシュメモリを用いられるが、ハードディスク装置を併用するようにしてもよい。
【００１８】
上記情報処理プロセッサ１３Ａは、通信ポート１３Ｂを通じて医療情報サーバ１２から所見作成で参照するための画像、過去の医用レポート、履歴情報等のコンテンツを読み出し、ストレージユニット１３Ｃに格納しておく。また、情報処理プロセッサ１３Ａは、アプリケーションとして、種々のコンテンツをモニタし、拡大、縮小、切り出し等の編集を行うコンテンツ表示・編集プログラムＡ１、医用レポートの電子ファイルを作成・編集するためのレポートファイル作成・編集プログラムＡ２、リンク付け処理プログラムＡ３、ネットワーク管理プログラムＡ４を備え、電源投入及びオペレータの指示入力に従ってプログラムを選択し実行する。
【００１９】
上記構成による医用レポート作成装置１３のレポート作成手順について、以下、図４に示すフローチャートを参照して説明する。
【００２０】
図４において、まずネットワーク１１を通じて医用画像に対する読影レポートの作成依頼を受け付けると（ステップＳ１１）、レポートモニタ装置１３３に医用レポート作成画面を表示し（ステップＳ１２）、参照情報モニタ装置１３４に読影依頼画像を表示する（ステップＳ１３）。ここで、医用レポートに記入する書誌的事項については、基本的にオペレータ（レポート作成者）のキーボード操作入力によって行うが、依頼ファイルの記載事項を自動的に複写したり、予め登録された情報を選択指定したりするようにしてもよい。また、参照情報モニタ装置１３４には、読影依頼画像に限らず、所見で参考すべきコンテンツ、例えば過去の医用レポート、診断画像、履歴情報等を医療情報サーバ１２から適宜読み出して表示する。
【００２１】
上記モニタ表示される医用レポートには所見欄が設けられており、オペレータがこの所見欄に読影画像に対する所見を記入するように操作することで、所見欄に入力された文字列が配列される（ステップＳ１４）。このように文字列が配列された状態で、参照情報モニタ装置１３５にモニタ表示されている画像、過去の医用レポート、履歴情報等のコンテンツを特定の文字列にリンク付けするために、まずリンク付けしようとする文字列にカーソルを合わせてリンク対応範囲を特定する（ステップＳ１５）。
【００２２】
次に、モニタ表示されているコンテンツの中でリンクさせようとするコンテンツを指定するドラッグ操作入力する（ステップＳ１６）。そして、ドラッグ表示アイコンを表示して（ステップＳ１７）、医用レポート作成画面のリンク対応範囲表示部分にドロップ操作することで（ステップＳ１８）文字列が指定されたとき、当該コンテンツのアドレス情報を取得し、その文字列に参照先コンテンツのアドレス情報をハイパーリンクの形式で貼り付ける（ステップＳ１９）。同時にハイパーリンクが設定されたリンク対応範囲の文字列の色を変更しかつ下線を付して識別表示する（ステップＳ２０）。
【００２３】
続いて、他に参照コンテンツをリンクさせたい文字列があるか判断し（ステップＳ２１）、リンクさせたい文字列がある場合には、ステップＳ１５の処理に戻り、リンクさせたい文字列がない場合には、所見欄文字列の入力が終了したものとしてファイルを保存し（ステップＳ２２）、一連の処理を完了する。
【００２４】
上記ドラッグ＆ドロップ操作によるハイパーリンクの貼り付け処理の様子を図５に示す。図５（ａ）は医用レポート作成画面を示し、図５（ｂ）はモニタ表示させている参照画像Ａ〜Ｃを示している。図５（ａ）の画面表示例では、患者の氏名、年齢、患者の病歴、検査目的、撮影条件等の書誌的事項を記入する欄、所見を記入する欄（所見欄）、診断結果を記入する欄（診断欄）、所見欄にリンク付けされたコンテンツの一覧（リンク一覧）が示され、図５（ｂ）のモニタ表示例では３枚の参照画像Ａ，Ｂ，Ｃが示されている。この例において、所見欄の文字列の中で「肝両葉の腫瘍」の文字列部分に参照画像Ａをリンク付けする場合、まず、「肝両葉の腫瘍」の文字列部分をリンク対応範囲として特定しておき、参照画像Ａをドラッグして「肝両葉の腫瘍」の文字列部分にドロップする。この操作により、「肝両葉の腫瘍」の文字列部分の色が変化すると共に下線が引かれてハイパーリンクが貼られたことが識別表示される。このとき、参照画像Ａを「肝両葉の腫瘍」の文字列部分へドロップする操作によって参照画像Ａのアドレス情報が取得され、該当する文字列に対してアドレス情報のハイパーリンクが貼られる。
【００２５】
このように、ドラッグ＆ドロップという簡単な操作で、任意の文字列に参照コンテンツ表示用のリンク付けを行うことができる。
【００２６】
ところで、リンク付けしたコンテンツが誤りであり、正しいコンテンツをリンク付けしたい場合が想定される。そこで、リンク付け処理としては、コンテンツのアドレス情報を既にリンク付けされているリンク対応範囲にリンク付けする操作がなされたとき、前のリンク付けを解除し、新たなアドレス情報をリンク付けするようにしておく。この手法によれば、オペレータはいちいち誤りのリンクを解除する操作をしなくても、正しいリンクへの貼り替えを行うことができ、操作性を向上させることができる。
【００２７】
また、一つの文字列に複数のコンテンツをリンク付けしたい場合も想定される。そこで、リンク付け処理としては、コンテンツのアドレス情報を既にリンク付けされているリンク対応範囲にリンク付けする操作がなされたとき、リンク先アドレス情報を追加するようにしておく。あるいは、上記リンクの貼り直しを考慮して、前のリンク付けを解除するモードとリンク先を追加するモードをオペレータが選択できるようにしておくと、操作性の便宜を図ることができる。また、複数のコンテンツを同時に選択された状態でリンク対応範囲の一つにリンク付け指定されたとき、選択されているコンテンツを全てリンク付けするようにしてもよい。
【００２８】
また、所見内容によっては参照画像に対して拡大、縮小、マーキング、切り出し等の編集を施し、編集後の画像をリンクさせたい場合も想定される。このような処理は、通常ならば編集後の画像をいったん保存し、これをリンクさせるという煩雑な手順が強いられることになる。そこで、参照画像の編集時に編集を再現するためのパラメータ情報を自動的に保存しておき、アドレス情報のリンク付け処理時にこのパラメータ情報をアドレス情報に付加する。このようにパラメータ情報を付加しておくと、再生側で同じビューワソフトを用いることで、アドレス情報によって参照画像を表示する際に、パラメータ情報に基づいて表示画像が自動的に編集され、所見内容に合致した画像を再生することが可能となる。
【００２９】
例えばアドレス情報に付加するパラメータ情報として、拡大率、ＷＬ（ウィンドウレベル）、ＷＷ（ウィンドウ幅）、Ｘ，Ｙ（モニタ表示位置）を順に選定するものとした場合、、アドレス情報のＵＲＬに続けて（0.5, 200, 300, 300, 400）を付加する。これにより、ＵＲＬで指定される画像が１／２に縮小されて、２００×３００の大きさで（３００，４００）の座標位置に表示されることになる。
【００３０】
ところで、所見欄に多数の参照コンテンツがリンク付けされている場合、どのようなコンテンツがリンクされているのか一瞥して把握できるようにしておくと、所見閲覧に際して内容を把握しやすいことが想定される。そこで、図５（ａ）の表示例に示すように、医用レポートにリンク一覧の領域を設け、参照コンテンツの文字列に対するリンク付けを行った際（ドラッグ＆ドロップ操作を完了した時点）に、参照画像の縮小画像を作成してリンク一覧に貼り付ける。この処理をリンク付け毎に行うことで、参照コンテンツがサムネイルで一覧表示させることができる。このとき、リンク一覧に貼り付けられた縮小画像を対応する文字列及び元のコンテンツとリンクさせておき、縮小画像を指定したときリンク先の文字列が識別表示され、対応するコンテンツがモニタ表示されるようにするといっそう効果的である。
【００３１】
また、上記リンク一覧作成において、複数のコンテンツが一つの文字列にリンク付けされた場合、各縮小画像の配列順序として日時順モードと指定順モードを選択できるようにしておくとよい。例えば、今回の撮影画像、前回の撮影画像といったように、時系列で患部が変化していることを示す複数の画像がある場合、指定順よりも日時順で示した方が所見閲覧者にとってわかりやすい。また、オペレータがリンクづけする順序を意識したい場合は、指定順を選択した方がよい。
【００３２】
尚、上記の説明では、リンク付けされる毎に全ての縮小画像を貼り付けてリンク一覧に表示させるものとしたが、表示画面がせまい場合にはリンク一覧の領域を狭くし、文字列のリンク対応範囲にカーソルを合わせたときに、対応する縮小画像を表示させるようにしてもよい。その他、リンク画像の表示の仕方には種々の方法が考えられる。
【００３３】
また、上記実施形態では、先にリンク対応範囲を特定するようにしたが、先にリンク対象のコンテンツを指定し（ドラッグ）、リンク先として任意の文字列部分が指定されたとき（ドロップ）、まず、その指定位置の文字列の単語範囲を検出してリンク対応範囲として決定し、必要に応じてその範囲を手動で調整するようにしてもよい。それぞれのモードを用意してオペレータが選択できるようにしておけば、作業内容、参照コンテンツ数等に応じて使い分けることができ、便利である。
【００３４】
図６に具体例を示す。この例では、文字列の間に直接、ドラッグした画像（アイコン）を挿入した場合に、挿入した画像の領域を左右に大きくして文字に重ねることにより、その範囲で文字の色や指定されている文字数を変更できるようにしている。
【００３５】
ところで、画像データ側に作成中のレポート上文字だけが表示される場合（勿論、複数の画像を指定してから文字が現れる場合もある）や文字に画像が貼り付けられている場合、図７に示すように、その横の表示スペースに画像を順番に並べて表示する（例えば既に画像が貼り付けられている文字がある場合、その上に画像を更に貼り付けると複数の画像がその文字に貼り付けられたり、横の表示エリアの画像が横にさらに並べられたりする）ようにすると、そのリンク付けが正しくなされたかどうかすぐに確認することができる。また、文字列の上に画像を挿入すると、そこに画像があることを示す文字または画像データが入り、それを含んで文字列を選択すると、その文字列がリンクされた表示になるようにしてもよい。また、画像があることを示す文字または画像データを指定して消去可能とすると、誤ったリンクを簡単に修正可能となり、作業効率を高めることができる。
【００３６】
ところで、上記構成による医用レポート作成装置で作成された医用レポートファイルを閲覧するための医用レポート参照装置１４は、図８に示すように、基本的に図２及び図３に示した作成装置の構成と同じであり、ネットワーク１１に接続されるワークステーション装置１４１を備える。このワークステーション装置１４１には、入力装置としてキーボード１４２、マウス１４３が接続され、表示装置としてレポートモニタ装置１４４、参照情報モニタ装置１４５を備える。参照情報モニタ装置１４５には、一度に多数の参照情報をモニタできるように、マルチディスプレイが望ましいが、ディスプレイが１個の場合でも、マルチウィンドウ等の画面表示によって対応可能である。
【００３７】
尚、ここではレポート参照用の専用装置を想定して説明するが、電子カルテシステムの端末装置あるいはその他の参照装置を利用してもかまわない。
【００３８】
上記ワークステーション装置１４１は、情報処理プロセッサ１４Ａ、通信ポート１４Ｂ、作業用に情報を格納するためのストレージユニット１４Ｃ、キーボード１４２及びマウス１４３の入力操作に対応した指示情報を受け付ける入力インターフェース１４Ｄ、レポートモニタ装置１４４及び参照情報モニタ装置１４５にそれぞれモニタ表示情報を出力する出力インターフェース部１４Ｅを備える。
【００３９】
上記情報処理プロセッサ１４Ａは、通信ポート１４Ｂを通じて、医用レポート作成装置１３から直接、または医療情報サーバ１２を介して医用レポートファイル及び所見欄にリンク付けされている参照コンテンツを読み出し、ストレージユニット１４Ｃに格納しておく。また、情報処理プロセッサ１４Ａは、アプリケーションとして、参照コンテンツをモニタし、拡大、縮小、切り出し等の編集を行う作成装置側と同じコンテンツ表示・編集プログラムＡ５、医用レポートの電子ファイルを表示するためのレポートファイル表示プログラムＡ６、ネットワーク管理プログラムＡ７を備え、電源投入及びオペレータの指示入力に従ってプログラムを選択し実行する。
【００４０】
すなわち、上記構成による医用レポート参照装置１４では、作成装置１３で作成された医用レポートをモニタ１４４に表示させると、その所見欄のハイパーリンクが貼られた文字列が識別表示されている。そこで、その文字列を指定すると、リンク付けされているアドレス情報が取得され、該当アドレス先のコンテンツが読み出されてモニタ１４５に表示される。このとき、リンク一覧を選択的に表示させることを可能とすることで、表示スペースを有効活用することができる。また、リンク一覧の縮小画像にもリンクが貼られている場合には、縮小画像を指定することで、対応するコンテンツをモニタ１４５に表示させることができる。
【００４１】
また、リンク付けされているアドレス情報に編集用のパラメータ情報が付加されている場合には、このパラメータ情報を用いて読み出されたコンテンツを編集処理して表示する。例えば、参照コンテンツの作成時に拡大、縮小、マーキング、切り出し等の編集がなされている場合、これを閲覧中に再現することが可能であり、閲覧者にとって所見者の意図を容易に把握することができるようになる。
【００４２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４３】
【図１】本発明に係る医用レポート作成装置、医用レポート参照装置を含む病院情報システム（ＨＩＳ）の構成を示すブロック図。
【図２】本発明に係る医用レポート作成装置、医用レポート参照装置の基本的な構成を示すブロック図。
【図３】本発明に係る医用レポート作成装置の一実施形態を示すブロック図。
【図４】図３に示す医用レポート作成装置のレポート作成手順を示すフローチャート。
【図５】上記医用レポート作成装置のドラッグ＆ドロップ操作によるハイパーリンクの貼り付け処理の様子を示す図。
【図６】上記医用レポート作成装置のドラッグ＆ドロップ操作によるハイパーリンクのリンク付け範囲設定処理の様子を示す図。
【図７】上記医用レポート作成装置の所見記入時における表示例を示す図。
【図８】本発明に係る医用レポート参照装置の一実施形態を示すブロック図。
【符号の説明】
【００４４】
１１…ネットワーク、１２…医療情報サーバ、１３…医用レポート作成装置、１４…医用レポート参照装置、
１３１…ワークステーション装置、１３２…キーボード、１３３…マウス、１３４…レポートモニタ装置、１３５…参照情報モニタ装置、
１３Ａ…情報処理プロセッサ、１３Ｂ…通信ポート、１３Ｃ…ストレージユニット、１３Ｄ…入力インターフェース部、１３Ｅ…出力インターフェース部、Ａ１…コンテンツ表示・編集プログラム、Ａ２…レポートファイル作成・編集プログラム、Ａ３…リンク付け処理プログラム、Ａ４…ネットワーク管理プログラム、
１４１…ワークステーション装置、１４２…キーボード、１４３…マウス、１４４…レポートモニタ装置、１４５…参照情報モニタ装置、Ａ５…コンテンツ表示・編集プログラム、Ａ６…レポートファイル表示プログラム、Ａ７…ネットワーク管理プログラム。
【図１】
2005301453.tif 000003
【図２】
2005301453.tif 000004
【図３】
2005301453.tif 000005
【図４】
2005301453.tif 000006
【図５】
2005301453.tif 000007
【図６】
2005301453.tif 000008
【図７】
2005301453.tif 000009
【図８】
2005301453.tif 000010